【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
制御部分とデータ部分とを備えるスロットを利用してユーザ機器(UE)と通信するステップと、
前記制御部分に割り振られた1つまたは複数の通信リソースが制御データを送信するために使用されていないと判定するステップと、
前記1つまたは複数の通信リソースを再割り振りし、前記1つまたは複数の再割り振りされた通信リソースを利用して、前記データ部分における物理ダウンリンク共有チャネル(PDSCH)におけるユーザデータを送信するステップと、
前記データ部分において再割り振りされた前記1つまたは複数の通信リソースのシンボル位置および周波数を前記UEに指示するステップと、
他のUEの制御リソースセット、探索空間、または物理ダウンリンク制御チャネル(PDCCH)のうちの少なくとも1つの外側に、前記1つまたは複数の再割り振りされた通信リソースを利用して前記PDSCHをレートマッチングさせるステップと
を含む方法。
【請求項２】
前記再割り振りするステップは、
前記1つまたは複数の通信リソースを前記データ部分において利用することを前記UEに指示するステップを含む、請求項1に記載の方法。
【請求項３】
前記指示するステップは、
前記1つまたは複数の通信リソースを前記データ部分において利用することを、各スロットにおいて前記UEに指示するステップを含む、請求項2に記載の方法。
【請求項４】
第1のレートマッチング規則に基づいて第1のスロットの前記データ部分において前記1つまたは複数の通信リソースを利用するように前記UEを構成するステップと、
前記第1のレートマッチング規則とは異なる第2のレートマッチング規則に基づいて第2のスロットの前記データ部分において前記1つまたは複数の通信リソースを利用するように前記UEを構成するステップと
をさらに含む、請求項1に記載の方法。
【請求項５】
ユーザ機器(UE)と通信するように構成された通信インターフェースと、
メモリと、
前記通信インターフェースおよび前記メモリに動作可能に結合されたプロセッサと
を備え、
前記プロセッサおよび前記メモリは、
制御部分とデータ部分とを備えるスロットを利用して前記UEと通信することと、
前記制御部分に割り振られた1つまたは複数の通信リソースが制御データを送信するために使用されていないと判定することと、
前記1つまたは複数の通信リソースを再割り振りし、前記1つまたは複数の再割り振りされた通信リソースを利用して、前記データ部分における物理ダウンリンク共有チャネル(PDSCH)におけるユーザデータを送信することと、
前記データ部分において再割り振りされた前記1つまたは複数の通信リソースのシンボル位置および周波数を前記UEに指示することと、
他のUEの制御リソースセット、探索空間、または物理ダウンリンク制御チャネル(PDCCH)のうちの少なくとも1つの外側に、前記1つまたは複数の再割り振りされた通信リソースを利用して前記PDSCHをレートマッチングさせることと
を行うように構成される装置。
【請求項６】
前記プロセッサおよび前記メモリは、
前記1つまたは複数の通信リソースを前記データ部分において利用することを前記UEに指示するようにさらに構成される、請求項5に記載の装置。
【請求項７】
前記プロセッサおよび前記メモリは、
前記1つまたは複数の通信リソースを前記データ部分において利用することを、各スロットにおいて前記UEに指示するようにさらに構成される、請求項5に記載の装置。
【請求項８】
前記プロセッサおよび前記メモリは、
第1のレートマッチング規則に基づいて第1のスロットの前記データ部分において前記1つまたは複数の通信リソースを利用するように前記UEを構成することと、
前記第1のレートマッチング規則とは異なる第2のレートマッチング規則に基づいて第2のスロットの前記データ部分において前記1つまたは複数の通信リソースを利用するように前記UEを構成することと
を行うようにさらに構成される、請求項5に記載の装置。
【請求項９】
ユーザ機器(UE)におけるワイヤレス通信の方法であって、
スロットの制御部分の1つまたは複数の通信リソースを前記スロットのデータ部分に再割り振りする旨の指示をスケジューリングエンティティから受信するステップであって、
前記指示は、前記データ部分において再割り振りされた前記1つまたは複数の通信リソースのシンボル位置および周波数を示す、ステップと、
他のUEの制御リソースセット(CORESET)、探索空間、または物理ダウンリンク制御チャネル(PDCCH)のうちの少なくとも1つにおける通信リソースを除外するための物理ダウンリンク共有チャネル(PDSCH)の所定のレートマッチング規則に基づいて、前記PDSCHにおける前記1つまたは複数の再割り振りされた通信リソースを含む前記データ部分におけるユーザデータを前記スケジューリングエンティティから受信するステップと
を含む方法。
【請求項１０】
前記指示を受信する前記ステップは、
前記1つまたは複数の通信リソースを前記データ部分において利用する旨の前記指示を、各スロットにおいて受信するステップを含む、請求項9に記載の方法。
【請求項１１】
第1のレートマッチング規則に基づいて第1のスロットの前記データ部分において前記1つまたは複数の通信リソースを利用するステップと、
前記第1のレートマッチング規則とは異なる第2のレートマッチング規則に基づいて、第2のスロットの前記データ部分において前記1つまたは複数の通信リソースを利用するステップと
をさらに含む、請求項9に記載の方法。
【請求項１２】
ユーザ機器(UE)のための装置であって、
スケジューリングエンティティと通信するように構成された通信インターフェースと、
メモリと、
前記通信インターフェースおよび前記メモリに動作可能に結合されたプロセッサと
を備え、
前記プロセッサおよび前記メモリは、
スロットの制御部分の1つまたは複数の通信リソースを前記スロットのデータ部分に再割り振りする旨の指示を前記スケジューリングエンティティから受信することであって、
前記指示は、前記データ部分において再割り振りされた前記1つまたは複数の通信リソースのシンボル位置および周波数を示す、受信することと、
他のUEの制御リソースセット(CORESET)、探索空間、または物理ダウンリンク制御チャネル(PDCCH)のうちの少なくとも1つにおける通信リソースを除外するための物理ダウンリンク共有チャネル(PDSCH)の所定のレートマッチング規則に基づいて、前記PDSCHにおける前記1つまたは複数の再割り振りされた通信リソースを含む前記データ部分におけるユーザデータを前記スケジューリングエンティティから受信することと
を行うように構成される装置。
【請求項１３】
前記プロセッサおよび前記メモリは、
前記1つまたは複数の通信リソースを前記データ部分において利用する旨の前記指示を、各スロットにおいて受信するようにさらに構成される、請求項12に記載の装置。
【請求項１４】
前記プロセッサおよび前記メモリは、
第1のレートマッチング規則に基づいて第1のスロットの前記データ部分において前記1つまたは複数の通信リソースを利用することと、
前記第1のレートマッチング規則とは異なる第2のレートマッチング規則に基づいて、第2のスロットの前記データ部分において前記1つまたは複数の通信リソースを利用することと
を行うようにさらに構成される、請求項12に記載の装置。